(57)【特許請求の範囲】
【請求項１】
両側端パネル（２）と１つ以上の中間パネル（３）がヒンジ（９）を介して連結され、各パネルは上端面中央の取付軸（４）を介してレール（５）内を走行するランナ（８）に回転可能に取り付けられた折れ戸（１）の接触防止装置であって、前記接触防止装置は第１リンク（６）と第２リンク（１０）からなるＶ字形に回動可能なリンク機構を有し、前記折れ戸を展開したときに、前記側端パネルの側端面上において、前記第１リンク（６）の一端部（６ａ）が前記レール内を走行する第１ガイド（７）に回転可能に取り付けられ、前記側端パネルの前記取付軸と前記側端面との中間において、前記第１リンク（６）の中間部（６ｃ）が水平に回転自在に軸支され、前記第２リンク（１０）の一端部（１０ａ）が前記第１リンクの他端部（６ｂ）に水平に揺動自在に軸支され、前記側端パネルの前記取付軸と前記側端面とは反対側の側端面の中間において、前記第２リンク（１０）の他端部（１０ｂ）が前記レール内を走行する第２ガイド（１３）に回転可能に取り付けられることを特徴とする折れ戸の接触防止装置。
【請求項２】
第２リンク（１０）は折れ戸（１）を展開したときに、側端パネル（２）の取付軸（４）を迂回する曲部（１０ｃ）を有することを特徴とする請求項１記載の折れ戸の接触防止装置。
【請求項３】
第１及び第２リンク（６、１０）の一方又は双方は２本のバー（１４、１５）を止めねじ（１６）を介して全長調整可能に形成されたことを特徴とする請求項１又は２記載の折れ戸の接触防止装置。
【発明の詳細な説明】
【０００１】
【発明の属する技術分野】
本発明は、折れ戸と壁面又は隣合う折れ戸同士の接触を防止する装置に関する。
【０００２】
【従来の技術】
両側端パネルと、１つ以上の中間パネルを交互にヒンジを介して連結してなる折れ戸は、各パネルが天井等に取り付けられたレール内のランナに、回動自在に取り付けられる。このような折れ戸の中で、各パネルの上端面の中央部でランナに取り付けられる折れ戸は、折れ戸と壁面又は隣合う折れ戸同士が接触する。
【０００３】
【発明が解決しようとする課題】
従来の、各パネルの上端面の中央部でランナに取り付けられる折れ戸は、その開閉時等に折れ戸と壁面等が接触するため、折れ戸が破損したり、あるいは、折れ戸同士が重なり合って開閉できなくなるという問題がある。
【０００４】
本発明はこのような問題を解決するためになされたもので、折れ戸と壁面は隣合う折れ戸同士の接触による折れ戸の破損を防止することができ、又、折れ戸同士の重なり合いによる開閉不能を防止することができる折れ戸の接触防止装置を提供することを課題とする。
【０００５】
【課題を解決するための手段】
前記課題を達成するために、本発明が採用する手段は、両側端パネルと１つ以上の中間パネルを有し、各パネルが上端面中央において取付軸を介して天井等に取り付けられたレール内を走行するランナに支持される方式の折れ戸において、折れ戸を展開したときに、一端部が側端パネルの側端面上においてレール内を走行する第１ガイドに回転可能に取り付けられると共に、中間部で側端パネルの上端面の取付軸と側端面との間に水平に回転自在に軸支される第１リンクと、一端部が第１リンクの他端部に水平に揺動自在に軸支されると共に、他端部が側端パネル上端面において取付軸と反対側の側端面の間において、レール内を走行する第２ガイドに回転可能に取り付けられる第２リンクとからなる接触防止装置を設けたことにある。
【０００６】
本手段により、折れ戸の展開から折り畳みまでのあらゆる状態において、第１ガイドが、壁面又は隣合う折れ戸に取り付けられた第１ガイドと接触するようにして、側端パネルと壁面又は隣合う折れ戸の側端パネル同士の直接接触を防止する。
【０００７】
折れ戸を展開したときに、側端パネルの上端面を延長する第２リンクには、側端パネルの取付軸を迂回する曲部を設けておく。
【０００８】
【発明の実施の形態】
本発明に係る折れ戸の接触防止装置を図面に示す実施例に基づいて詳細に説明する。
【０００９】
図１及び図２は、折れ戸の展開時及び折りたたみ時の接触防止装置を示す平面図である。折れ戸１の側端パネル２と中間パネル３は、上端面の中央部に取付軸４を夫々有する。折れ戸１の側端パネル２には、ヒンジ９を介して中間パネル３が連結される。
【００１０】
図３に示すように、各パネルの取付軸４は天井１２等に取り付けられたレール５内を走行するランナ８に回動可能に軸支されて、折れ戸１が天井１２に取り付けられる。なお、この折れ戸１は、このように天井１２に取り付けられると共に、下端面の中央部に同様の回転軸を有し、床面等に配設されたレール内のランナに回動可能に軸支されるものであってもよい。
【００１１】
接触防止装置は、第１リンク６と第２リンク１０からなるＶ字形に回動可能なリンク機構を有する。第１及び第２リンク６、１０は二本のバー１４、１５を全長調整可能に止めねじ１６等を介して連結した二体構造である。第１リンク６は、中間部６ｃが、側端パネル２の取付軸４と側端面との中間近くに水平に回転自在に軸支される。第２リンク１０の一端部１０ａは、第１リンクの他端部６ｂに水平に相互回動可能に軸支される。第１リンクの一端部６ａと第２リンクの他端部１０ｂは、ガイド７、１３にそれぞれ回転自在に取り付けられる。図３に示すように、ガイド７、１３はレール５内に走行自在に内装される。
【００１２】
図１に示すように、折れ戸を展開したとき、第２リンク１０は一端部１０ａから側端パネル２の中間パネル３側の側端面と取付軸４の中間近くに位置する他端部１０ｂまで側端パネル２の上端面に沿って延長する。第２リンク１０は途中に曲部１０ｃを形成して側端パネル２の取付軸４を迂回する。壁面１１には第１リンク６の第１ガイドが当接し側端パネル２の側端面を壁面１１から少し離間させる。
【００１３】
図２及び図３に示すように、折れ戸を折りたたんだとき、第１リンク６と第２リンク１０は回転結合する第１リンク他端部６ｂと第２リンク一端部１０ａを中心にＶ字形に折れる。第１リンク６のガイド７、側端パネル２の取付軸４、第２リンク１０のガイド１３、中間パネル３の取付軸４は、接近して交互に一線に並ぶ。このため、第１リンク６のガイド７は壁面１１に当接して、側端パネル２を壁面１１から離間させ、第２ガイド１３は側端パネル２と中間パネル３のヒンジしていない両側端部を少し離間させる。
【００１４】
ガイド７、１３はレール５内を走行して、第１リンク６の端部６ａと第２リンク１０の他端部１０ｂが常にレール５の直下に位置するようにその動きを規制する。又、折れ戸１を折りたたんだときに、第１リンク６のガイド７と側端パネル２のランナ８、第２リンク１０のガイド１３、中間パネル３のランナ８はレール内において相互に接近し、交互に一線に並ぶ。
【００１５】
折れ戸１を展開したとき、第１リンク６のガイド７は側端パネル２の側端面の外側に突出して壁面１１に接触する。従って、側端パネル２が壁面１１に直接接触することはない。折れ戸１を折りたたんだときも、ガイド７が側端パネル２から外側に突出して壁面１１に接触する。従って、側端パネル２が壁面１１に直接接触することはない。
【００１６】
【実施例】
次に、図４に示す別の実施例に基づいて隣合う折れ戸同士の接触防止について説明する。この実施例は、第１及び第２リンク６、１０が、一本のバーよりなることを除くと前記実施例と構成は全く同じである。
【００１７】
折れ戸１の展開から折りたたみまでの中間状態においても、常に第１リンク６のガイド７が壁面１１に接触するから、側端パネル２が壁面１１に直接接触することはない。
【００１８】
隣合う２つの折れ戸１、１についても、常に両側の側端パネル２、２に設けた第１リンク６、６のガイド７、７同士が側端パネル２、２よりも先に接触するから、側端パネル２同士が接触したり、重なり合うことはない。このように、この折れ戸の接触防止装置により、折れ戸の展開から折りたたみまでのあらゆる状態において、折れ戸と壁面又は隣合う折れ戸同士の接触による折れ戸の破損を防止し、又、折れ戸同士の重なり合いによる開閉不能を防止する。
【００１９】
【発明の効果】
上記のとおり、各パネルの上端面の中央部でレール内を走行するランナに回動可能に取り付けられる折れ戸に設けられる本発明の装置は、Ｖ字形に相互回動可能に連結した第１及び第２リンクからなり、折れ戸を展開したときに、第１リンクは一端部が側端パネルの側端面上においてレール内を走行可能な第１ガイドに軸支され、中間部が側端パネルの上端面の取付軸と側端面との間に水平に回転自在に軸支され、第２リンクは一端部が第１リンクの他端部に水平に揺動自在に軸支され、他端部が側端パネルの取付軸と中間パネル側の側端面との間においてレール内を走行可能な第２ガイドに軸支され、折れ戸が折れたときに、第１ガイドが側端パネルのランナの外側に、第２ガイドが側端パネルと中間パネルのランナの間に近接するように位置するから、折れ戸と壁面又は隣合う折れ戸同士の接触による折れ戸の破損は未然に防止され、又、折れ戸同士の重なり合いによる開閉不能も防止されるという優れた効果を奏する。
【図面の簡単な説明】
【図１】本発明折れ戸の接触防止装置の実施例を備えた折れ戸のパネルを展開した状態を示す要部平面図、
【図２】実施例の折れ戸を折りたたんだ状態を示す要部平面図、
【図３】図２のＩＩＩ−ＩＩＩ線矢視図である。
【図４】折れ戸と壁面及び折れ戸同士の接触防止を示す平面図である。
【符号の説明】
１：折れ戸
２：側端パネル
３：中間パネル
４：取付軸
５：レール
６：第１リンク
６ａ：一端部
６ｂ：他端部
６ｃ：中間部
７：ガイド
８：ランナ
９：ヒンジ
１０：第２リンク
１０ａ：一端部
１０ｂ：他端部
１０ｃ：曲部
１１：壁面
１２：天井
１３：ガイド
１４、１５：バー
１６：止めねじ
【図１】
0004106643.tif 000002
【図２】
0004106643.tif 000003
【図３】
0004106643.tif 000004
【図４】
0004106643.tif 000005